【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
微生物及び／又は感染体を有効量のポリマー組成物と接触させて、前記微生物及び／又は感染体の生殖能、代謝、増殖及び／又は病原性を低減又は排除することを含む方法であって、前記ポリマー組成物が水、水溶性膜形成性ポリマー、キレート化剤、及び界面活性剤を含み、
前記ポリマーが、ポリビニルアルコール、ビニルアルコール及び酢酸ビニルから誘導される繰返し単位を含む共重合体、ビニルアルコール及び／又は（メタ）アクリル酸から誘導される繰り返し単位と、エチレン、プロピレン、アクリル酸、メタクリル酸、アクリルアミド、メタクリルアミド、ジメタクリルアミド、メタクリル酸ヒドロキシエチル、メタクリル酸メチル、アクリル酸メチル、アクリル酸エチル、ビニルピロリドン、アクリル酸ヒドロキシエチル、アリルアルコール、ヒドロキシメチルセルロース、ヒドロキセチルセルロースのうち１つ以上から誘導される繰り返し単位を含む共重合体、又はその混合物を含み、
（ａ）微生物及び／又は感染体は、液状媒体に分散させられ、プロセスは、ポリマー組成物を、微生物及び／又は感染体の生殖能、代謝、増殖及び／又は病原性を低減又は排除するのに有効な時間、液状媒体に添加すること、又は
（ｂ）微生物及び／又は感染体は、基体上に位置され、プロセスは、微生物及び／又は感染体の生殖能、代謝、増殖及び／又は病原性を低減又は排除するため、ポリマー組成物を微生物及び／又は感染体と接触した基体に塗布すること、又は
（ｃ）ポリマー組成物を基体に塗布して、膜を形成し、続いて、微生物及び／又は感染体の生殖能、代謝及び／又は増殖を低減又は排除するため、微生物及び／又は感染体をポリマー組成物に接触すること、
を含む、方法。
【請求項２】
前記微生物が、細菌、リケッチア、原生動物、真菌、植物、動物又はその２種類以上の混合物を含む、又は
前記微生物が、細菌、真菌、酵母、酵母バイオフィルム、糸状菌、原生生物又はその２種類以上の混合物を含む、又は
前記微生物が１種類以上の胞子を含む、又は
前記感染体が病原体を含む、又は
前記感染体が、ウイルス、プリオン、リケッチア又はその２種類以上の混合物を含む、
請求項１に記載の方法。
【請求項３】
前記ポリマーがポリビニルアルコールを含み、前記ポリマーが１０，０００から１，０００，０００の範囲、好ましくは１０，０００から１５０，０００ｇ／ｍｏｌの範囲の分子量、及び７０％から１００％の範囲、又は７０％から９０％の範囲の加水分解レベルを有する、請求項１又は２に記載の方法。
【請求項４】
前記キレート化剤が、炭化水素結合と２個以上の官能基とを含む有機化合物を含み、前記官能基が＝Ｏ、−ＯＲ、−ＮＲ２、−ＮＯ２、＝ＮＲ、＝ＮＯＲ又は＝ＮＲ＊ＯＲの１個以上を含み、式中、ＲはＨ又はアルキルであり、Ｒ＊はアルキレンである、又は
前記キレート化剤が、炭化水素結合と２個以上の官能基とを含む有機化合物を含み、前記官能基が１個以上のリン酸基及び／又はホスホン酸基を含む、又は
前記キレート化剤が、ジエチレントリアミン五酢酸、エチレンジアミン四酢酸、プルシアンブルー、クエン酸、ペプチド、アミノ酸、及びアミノポリカルボン酸、グルコン酸、グルコヘプトン酸、オルガノホスホナート、ビスホスホナート、無機ポリホスファート、上記のいずれかの塩、又は上記の２種類以上の混合物を含む、又は
前記界面活性剤が、１種類以上のポリシロキサン、アルカノールアミン、アルキルアリールスルホナート、アミンオキシド、ポリ（オキシアルキレン）化合物、アルキレンオキシド繰り返し単位を含むブロック共重合体、カルボキシル化アルコールエトキシラート、エトキシル化アルコール、エトキシル化アルキルフェノール、エトキシル化されたアミン及びアミド、エトキシル化脂肪酸、エトキシル化された脂肪酸エステル及び脂肪油、脂肪酸エステル、脂肪酸アミド、グリセロールエステル、グリコールエステル、ソルビタンエステル、イミダゾリン誘導体、レシチン及び誘導体、リグニン及び誘導体、モノグリセリド及び誘導体、オレフィンスルホナート、リン酸エステル及び誘導体、プロポキシル化及びエトキシル化された脂肪酸若しくはアルコール若しくはアルキルフェノール、ソルビタン誘導体、スクロースエステル及び誘導体、スルファート若しくはアルコール若しくはエトキシル化アルコール若しくは脂肪酸エステル、ドデシル及び／又はトリデシルベンゼン若しくは縮合ナフタレン若しくは石油のスルファート若しくはスルホナート、スルホサクシナート及び誘導体、トリデシル若しくはドデシルベンゼンスルホン酸、又はその２種類以上の混合物を含む、又は
前記界面活性剤が、セントリモニウム陽イオン、ヘキサデシルトリメチルアンモニウム陽イオン又はその混合物を含む、又は
前記界面活性剤が、ドデシル硫酸ナトリウム、ラウリル硫酸ナトリウム、臭化セチルトリメチルアンモニウム、塩化セチルトリメチルアンモニウム、臭化ヘキサデシルトリメチルアンモニウム、塩化ヘキサデシルトリメチルアンモニウム又はその２種類以上の混合物を含む、又は
前記ポリマー組成物が、１種類以上の架橋剤、せっけん、洗浄剤、擬塑性添加剤、レオロジー調節剤、流れ止め剤、沈降防止剤、レベリング剤、消泡剤、着色剤、有機溶媒、可塑剤、粘度安定剤、殺生物剤、殺ウイルス剤、殺真菌剤、化学兵器剤中和剤、湿潤剤、又はその２種類以上の混合物を更に含む、又は
前記ポリマー組成物が、前記微生物及び／又は感染体の生殖能、代謝及び／又は増殖を低減又は排除するための有効量の添加殺生物剤、殺ウイルス剤及び／又は殺真菌剤を含まないことを特徴とする、
請求項１から３のいずれか一項に記載の方法。
【請求項５】
前記ポリマー組成物が、水と、ポリビニルアルコールと、ジエチレントリアミン五酢酸及び／又はそのナトリウム塩と、ドデシル硫酸ナトリウム、ラウリル硫酸ナトリウム、臭化セチルトリメトリルアンモニウム、塩化セチルトリメチルアンモニウム、臭化ヘキサデシルトリメチルアンモニウム又は塩化ヘキサデシルトリメチルアンモニウムの１種類以上とを含む、請求項１から４のいずれか一項に記載の方法。
【請求項６】
前記請求項１の（ｂ）又は（ｃ）のポリマー組成物が、乾燥して膜を形成し、
前記膜が前記基体から除去される、又は
前記膜が前記基体から剥離される、又は
水を含む組成物が前記膜に塗布され、前記膜が前記基体から除去される、又は
前記膜が、水を含む清浄化組成物を使用して前記基体から除去される、又は
前記膜が液体中に分散され、分析される、又は
前記膜が液体中に分散され、分析され、前記膜が、ポリメラーゼ連鎖反応分析、制限酵素分析、クローニング及び／又はヌクレオチド配列分析、及び／又はアミノ酸配列分析を使用して分析される、
請求項１に記載の方法。
【請求項７】
前記微生物が、エシェリキア  コリ（Ｅｓｃｈｅｒｉｃｈｉａ  ｃｏｌｉ）、エシェリキア  コリ（Ｅｓｃｈｅｒｉｃｈｉａ  ｃｏｌｉ）Ｏ１５７：Ｈ７、スタフィロコッカス  エピデルミディス（Ｓｔａｐｈｙｌｏｃｏｃｃｕｓ  ｅｐｉｄｅｒｍｉｄｉｓ）、スタフィロコッカス  エピデルミディス（Ｓｔａｐｈｙｌｏｃｏｃｃｕｓ  ｅｐｉｄｅｒｍｉｄｉｓ）バイオフィルム、スタフィロコッカス  アウレウス（Ｓｔａｐｈｙｌｏｃｏｃｃｕｓ  ａｕｒｅｕｓ）、スタフィロコッカス  アウレウス（Ｓｔａｐｈｙｌｏｃｏｃｃｕｓ  ａｕｒｅｕｓ）ＭＲＳＡ、ブルクホルデリア  セパシア（Ｂｕｒｋｈｏｌｄｅｒｉａ  ｃｅｐａｃｉａ）、バチルス  サブチリス（Ｂａｃｉｌｌｕｓ  ｓｕｂｔｉｌｉｓ）、エンテロコッカス  フェカーリス（Ｅｎｔｅｒｏｃｏｃｃｕｓ  ｆａｅｃａｌｉｓ）、エンテロコッカス  フェカーリス（Ｅｎｔｅｒｏｃｏｃｃｕｓ  ｆａｅｃａｌｉｓ）−ＶＲＥ、シュードモナス  エルジノーサ（Ｐｓｅｕｄｏｍｏｎａｓ  ａｅｒｕｇｉｎｏｓａ）、シュードモナス  エルジノーサ（Ｐｓｅｕｄｏｍｏｎａｓ  ａｅｒｕｇｉｎｏｓａ）バイオフィルム、ストレプトコッカス  ピオゲネス（Ｓｔｒｅｐｔｏｃｏｃｃｕｓ  ｐｙｏｇｅｎｅｓ）、アシネトバクター  バウマニ（Ａｃｉｎｅｔｏｂａｃｔｅｒ  ｂａｕｍａｎｎｉｉ）、カンジダ  アルビカンス（Ｃａｎｄｉｄａ  ａｌｂｉｃａｎｓ）、カンジダ  アルビカンス（Ｃａｎｄｉｄａ  ａｌｂｉｃａｎｓ）バイオフィルム、又はバチルス  アンスラシス（Ｂａｃｉｌｌｕｓ  Ａｎｔｈｒａｃｉｓ）の１種類以上を含む、又は
前記ポリマー組成物によって接触された前記微生物及び／又は感染体の近くの微生物及び／又は感染体が、その生殖能、代謝、増殖及び／又は病原性を低減又は排除される、
請求項１から６のいずれか一項に記載の方法。
【請求項８】
水、水溶性膜形成性ポリマー、キレート化剤及び界面活性剤を含むポリマー組成物と基体を接触させること、及び
前記ポリマー組成物を乾燥させて、前記基体に付着した高分子膜を形成すること、前記高分子膜を前記基体から分離させること、バイオフィルムを前記基体上に形成すること、及び前記バイオフィルムを前記基体から分離させること、又は
前記ポリマー組成物を乾燥させて、前記基体に付着した高分子膜を形成すること、バイオフィルムを前記高分子膜上に形成すること、及び前記バイオフィルムを前記高分子膜から分離させること、又は前記バイオフィルムと前記高分子膜を前記基体から分離させること、
を含む方法。